(57)【要約】【課題】ＣＤ・ＤＶＤばかりでなく、ＢＤに対して情報の記録・再生を可能にしても、光ピックアップが小型化されることを妨げられない光学機構を提供する。【解決手段】ＣＤ・ＤＶＤ用の第１の対物レンズと、ＢＤ用の第２の対物レンズと、光検出器と、ＣＤ・ＤＶＤ用の光源と、ＢＤ用の光源と、ＣＤ・ＤＶＤからの第１の反射光を第１の対物レンズを介して光検出器に誘導する第１の光学機構と、ＢＤからの第２の反射光を前記第２の対物レンズを介して誘導し、第２の反射光の向きを前記第１の光学機構の側に変更する第２の光学機構と、を備える。第２の反射光が、第１の光学機構によって誘導される第１の反射光の光路に合流した後、第２の反射光が第１の光学機構によって光検出器に供給される。【選択図】図３
2010225199.tif 000002
【特許請求の範囲】
【請求項１】
ＣＤ・ＤＶＤ用の第１の対物レンズと、
ＢＤ用の第２の対物レンズと、
光検出器と、
ＣＤ・ＤＶＤ用の光源と、
ＢＤ用の光源と、
ＣＤ・ＤＶＤからの第１の反射光を前記第１の対物レンズを介して前記光検出器に誘導する第１の光学機構と、
ＢＤからの第２の反射光を前記第２の対物レンズを介して誘導し、前記第２の反射光の向きを前記第１の光学機構の側に変更する第２の光学機構と、を備え、
前記第２の反射光が前記第１の光学機構によって誘導される前記第１の反射光の光路に合流した後、前記第２の反射光が前記第１の光学機構によって前記光検出器に供給される、光ピックアップ。
【請求項２】
前記第１の対物レンズと前記第２の対物レンズが、前記ＣＤ、ＤＶＤ、又はＢＤの少なくとも一つからなる光ディスクの径方向に設けられている請求項１記載の光ピックアップ。
【請求項３】
前記第１の対物レンズが、前記光ディスクの内周側に存在する請求項２記載の光ピックアップ。
【請求項４】
前記第１の光学機構と前記第２の光学機構は、前記第１の反射光の光路と前記第２の反射光の光路とを、前記光ディスクの接線方向に沿って並列に形成し、前記第１の反射光の光路が前記光ディスクの内周側に形成されている請求項２記載の光ピックアップ。
【請求項５】
前記第２の反射光の復路光学倍率が、前記第１の反射光の復路光学倍率を超えるように、前記２の光学機構は前記第２の反射光の光路を形成している請求項１記載の光ピックアップ。
【請求項６】
前記第２の光学機構は、前記第２の反射光の光路を前記第１の反射光の光路に交差させた後、前記第２の反射光を前記第１の反射光の光路に合流させる請求項１記載の光ピックアップ。
【請求項７】
前記第１の光学機構は、非点収差を発生する平行平板ミラーである第１のビームスプリッタと、非点収差を発生する第１の検出レンズ素子と、を備え、前記第２の光学機構は、非点収差を発生する平行平板である第２のビームスプリッタと、非点収差を発生する第２の検出レンズ素子と、を備え、ＣＤ，ＤＶＤ，ＢＤともに非点収差法によりフォーカス検出する請求項１記載の光ピックアップ。
【発明の詳細な説明】
【技術分野】
【０００１】
本発明は、ＢＤ（Ｂｌｕ−ｒａｙ Ｄｉｓｃ）、ＤＶＤ、ＣＤ等の光学的情報記録媒体（以下、これらを総称する際は、「光ディスク」という。）に情報の記録を行い、また、光ディスクに記録された情報の再生を行う光ピックアップに関するものである。
【背景技術】
【０００２】
従来から、光ディスクに対して情報の記録を行い、また、光ディスクに記録された情報の再生を可能にした光ディスク装置が知られている。この種の光ディスク装置は、光ディスクを回転させるスピンドルモータと、光ディスクに対して情報の記録または再生を行う光ピックアップと、光ピックアップを光ディスクの内周と外周の間で主軸及び副軸に沿って移動させるフィード機構と、を備えている（例えば、特開２００６−２９４１３４号公報）。
【０００３】
ところで、パーソナルコンピュータ、特にノートブック型コンピュータ等の小型化、薄型化、軽量化を求める要請に合わせて、光ディスク装置自身も小型化される必要がある。
【０００４】
そして、光ディスク装置の小型化に合わせて、光ピックアップにも改良が求められる。例えば、特開２００６−１２０３０６号公報、特開２００５−３２７３８８号公報には、一つの光ピックアップがＢＤ、ＤＶＤ及びＣＤの３種類の光ディスクに対して、情報の記録と情報の再生を可能にすることが記載されている。
【先行技術文献】
【特許文献】
【０００５】
【特許文献１】特開２００６−２９４１３４号公報
【特許文献２】特開２００６−１２０３０６号公報
【特許文献３】特開２００５−３２７３８８号公報
【発明の概要】
【発明が解決しようとする課題】
【０００６】
ＣＤ・ＤＶＤに対する記録・再生系での復路倍率は６倍前後であるに対し、ＢＤに対する記録・再生系での復路倍率は２０〜３０倍である。ＣＤ・ＤＶＤ用の光ピックアップを小型化するために、光ピックアップの主軸と副軸間の距離を極力低減できたとしても、ＢＤに対する記録・再生系では、復路長をある程度維持する必要があるため、光ピックアップの主軸と副軸間の距離をＣＤ・ＤＶＤ用の光ピックアップのようにはできない。
【０００７】
したがって、ＣＤ・ＤＶＤばかりでなく、ＢＤに対して情報の記録・再生を可能にすると、光ピックアップの小型化には限界があった。そこで、本発明は、ＣＤ・ＤＶＤばかりでなく、ＢＤに対して情報の記録・再生を可能にしても、光ピックアップが小型化されることを妨げられない光学機構を提供することを目的とするものである。
【課題を解決するための手段】
【０００８】
前記課題を解決するために、本発明は、ＣＤ・ＤＶＤ用の第１の対物レンズと、ＢＤ用の第２の対物レンズと、光検出器と、ＣＤ・ＤＶＤ用の光源と、ＢＤ用の光源と、ＣＤ・ＤＶＤからの第１の反射光を前記第１の対物レンズを介して前記光検出器に誘導する第１の光学機構と、ＢＤからの第２の反射光を前記第２の対物レンズを介して誘導し、前記第２の反射光の向きを前記第１の光学機構の側に変更する第２の光学機構と、を備え、前記第２の反射光が前記第１の光学機構によって誘導される前記第１の反射光の光路に合流した後、前記第２の反射光が前記第１の光学機構によって前記光検出器に供給される光ピックアップであることを特徴とするものである。
【発明の効果】
【０００９】
本発明によれば、ＣＤ・ＤＶＤばかりでなく、ＢＤに対して情報の記録・再生を可能にしても、光ピックアップが小型化されることを妨げられないようにすることができる。
【図面の簡単な説明】
【００１０】
【図１】光ピックアップを備える光ディスク装置の斜視図である。
【図２】光ピックアップを拡大して示す斜視図である。
【図３】光ピックアップの内部構造の概要を示す平面図である。
【図４】ＣＤ・ＤＶＤに対する光学機構の概要を示す側面図である。
【図５】ＢＤに対する光学機構の概要を示す側面図である。
【図６】光検出器の受光面パターンを示す平面図である。
【図７】図３−５で説明したＣＤ・ＤＶＤ用の光学機構、及び、ＢＤ用の光学機構の概要構成を示す光ピックアップの平面図である。
【図８】その第１の変形例に係る光ピックアップの平面図である。
【図９】その第２の変形例に係る光ピックアップの平面図である。
【図１０】その第３の変形例に係る光ピックアップの平面図である。
【図１１】その第４の変形例に係る光ピックアップの平面図である。
【発明を実施するための形態】
【００１１】
次に、本発明に係る光ピックアップの実施形態について説明する。なお、以下に記載される実施形態は、本発明を説明するための例示であり、本発明はこれらの実施形態に限定されるものではない。以下の実施形態を、本発明の要旨に従って、様々な形態に変更することができる。
【００１２】
図１は、光ピックアップを備える光ディスク装置の斜視図である。光ディスク装置５００は、筐体５０２と、筐体５０２に挿抜可能に配設されたトレイ５０３とを有している。筐体５０２は、ボトムケース５２１と、ボトムケース５２１に配設されるトップケース５２２から構成された箱形を有し、筐体５０２の開口から筐体５０２内にトレイ５０３が挿入され、且つ筐体５０２内からトレイ５０３が引出される構成となっている。
【００１３】
ボトムケース５２１には、光ディスク装置５００を駆動するための信号処理系および制御系を有する電気回路が搭載された回路基板５２３が配設されている。この回路基板５２３には、ＦＰＣ５４０が接続されている。ＦＰＣには、図示しない中継基板を介して、光ピックアップに信号を供給するためのＦＰＣ１０５が接続されている。
【００１４】
光ピックアップを拡大した図２から分かるように、トレイ５０３(図１)には、光ピックアップ装置１００と、光ピックアップ１００の移動をガイドする２本のガイドレール１０６Ａ及び１０６Ｂ（１０６Ａ：副軸、１０６Ｂ：主軸）が存在する。さらに、トレイ５０３には、光ディスクを回転駆動するスピンドルモータ５５０が取付けられるシャーシ５３３(図１)が配設されている。
【００１５】
このシャーシ５３３は、平面視で略四角形を有しており、図１でいう上面に、光ディスクを装着すると共に、開口５３６が設けられており、この開口５３６から光ピックアップ１００の一部が露出している。
【００１６】
２本のガイドレール１０６Ａ及び１０６Ｂは、トレイ５０３の挿抜方向の角部５３７に向けて平行に配設されており、光ピックアップ１００は、これらのガイドレール１０６Ａ及び１０６Ｂに沿って光ディスクの径方向に沿って進退移動可能である。スピンドルモータ５５０は、シャーシ５３３のほぼ中心に存在する。符号５３５は、筐体５０２の開口を塞ぐベセルである。
【００１７】
光ピックアップ１００は、ＢＤ光学機構と、ＤＶＤ及びＣＤ光学機構と、光学機構を駆動する駆動機構と、これらの機構の制御及び信号の授受を行う回路基板を収納する筐体１０１を備えている。
【００１８】
筐体１０１の移動方向と平行な各々の側面には、ガイドレール１０６Ａ及び１０６Ｂに移動可能に係合する係合部１０２Ａ及び１０２Ｂが各々形成されている。また、筐体１０１は、光ディスクの中心から外周方向に向けて移動する際の移動方向先端に位置する側面１０４（すなわち、トレイ５０３に配設されたシャーシ５３３に光ピックアップ１００が取付けられた際に、トレイ５０３の角部５３７と対向する側面）が、所定の曲率半径（Ｒ）で凸状に湾曲した形状を備えている。
【００１９】
具体的には、側面１０４は、その外面が、角部５３７が形成されている方向に向けて凸状に湾曲し、内面が、角部５３７が形成されている方向に向けて、前記凸状の湾曲に相補した凹状に湾曲している。
【００２０】
この筐体１０１内には、光ピックアップの内部構造の概要を示す平面図である図３のように、光ピックアップには、ＢＤに対する情報の記録・記録情報の再生のための光学機構、１０及び、ＤＶＤ及びＣＤに対する光学機構１２が収容されている。図４は、ＣＤ・ＤＶＤに対する光学機構の概要を示す側面図、図５はＢＤに対する光学機構の概要を示す側面図である。
【００２１】
光学機構を説明するに際して、方向を明りょうにしておく必要がある。図３に示すように、Ｘ方向は、光ディスク７００の接線方向であり、主軸１０６Ｂおよび副軸１０６Ａの長さ方向と直交する方向を示し、矢印方向を＋Ｘ方向とし、これと反対の方向を−Ｘ方向とする。Ｙ方向は、光ディスクの径方向（光ピックアップの移動方向：主軸及び副軸の長さ方向）を示し、矢印方向が光ディスクの内周側に相当し、これを＋Ｙ方向とし、これと反対の方向が光ディスクの外周側に相当し、これを−Ｙ方向とする。紙面に対して垂直で手前側に向かう方向を＋Ｚとし、紙面に対して垂直で反対側に向かう方向を−Ｚ方向とする。
【００２２】
先ず、ＢＤ用の光学機構１０を、図３及び図５にしたがって説明する。ＢＤ光学機構は、青紫色レーザ光源１４を有する。この青紫色レーザ光源１４からは、波長λ1=４０５ｎｍ帯で、偏光方向が大部分±Ｘ方向である直線偏光（Ｐ偏光）の発散光ビームが出射される。
【００２３】
ＢＤ光学機構は、青紫色レーザ光源を基準として、主軸・副軸の長さ方向(＋Ｙ方向)に向かって、所定の間隔をおいて順に、レンズ１６、１/２波長板１８、回折挌子２０、ビームスプリッタ２２と、を備えている。
【００２４】
１/２波長板１８は、±Ｘ方向の直線偏光（Ｐ偏光）の光ビームを±Ｘ方向と直交する±Ｚ方向の偏光（Ｓ偏光）の光ビームに変換する。１/２波長板１８の下流には、波長選択性を持たない３ビーム生成用回折挌子２０があり、光ビームは、０次光及び±１次回折光の３本の光ビームに回折分離される。
【００２５】
回折挌子２０を出たＳ偏光の光ビームは、ビームスプリッタ２２によって、＋Ｘ方向に大部分反射され、凹レンズ２４を通過する際に、光束径が１．１〜１.５倍程度に拡大されてコリメートレンズ２６に至る。
【００２６】
コリメートレンズ２６は光ビームを平行光に変換する。次いで、光ビームは、１/４波長板２８で円偏光に変換された後、立ち上げミラー３０によって、＋Ｚ方向、すなわち、ＢＤ光ディスク７００の記録面７００Ａに向かって９０度曲げられる。次いで、光ビームはＢＤ用対物レンズ３２に入射して集光された後、ＢＤの情報記録面７００Ａのトラックに光スポットとして照射される。
【００２７】
ＢＤの再生を行う際には、ＢＤの情報記録面７００Ａのトラックで反射した光ビームは、対物レンズ３２を−Ｚ方向に通過して平行光ビームになり、次いで、立ち上げミラー３０によって−Ｘ方向に反射される。
【００２８】
その後、１/４波長板２８でＰ偏光に変換され、コリメートレンズ２６を透過して収束光ビームとなり、凹レンズ２４を通過して弱収束光に変換され、ビームスプリッタ２２を全透過して、１/２波長板３４を通過してＳ偏光に変換され光路変更光学素子(シリンドリカルレンズを含む検出レンズ素子)３６に至る。光路変更光学素子は、内部反射面を有しており、この反射面は、その中心３７で光ビームを＋Ｙ方向、すなわち、主軸１０６Ｂに沿った方向に曲げる。
【００２９】
一方、図３及び図４に示すＤＶＤ及びＣＤ光学機構１２は、モノリシック型２波長レーザ光源３８を有する。符号４０で示されるＤＶＤレーザ光源部は、波長λ2＝６６０ｎｍ帯の光ビームを出射する。また、符号４２で示されるＣＤレーザ光源部は、波長λ3＝７８５ｎｍ帯の光ビームを出射する。
【００３０】
これらレーザ光は、−Ｙ方向に照射されると、１／２波長板４４、回折格子４６を経てビームスプリッタ４８で＋Ｘ方向に直角に曲げられ、コリメートレンズ５０、１／４波長板５２を通過した後立ち上げミラー５４で＋Ｚ方向に反射されて、ＣＤ・ＤＶＤ用の対物レンズ５６に入射して集光され、ＣＤの情報記録面７００Ｂ・ＤＶＤの情報記録面７００Ｃのトラックに光スポットとして照射される。
【００３１】
そして、ＣＤ・ＤＶＤの情報記録面のトラックで反射した光ビームは、対物レンズ５６を−Ｚ方向に通過して立ち上げミラー５４によって９０度−Ｘ方向に曲げられ、１／４波長板５２、コリメートレンズ５０を透過して収束光ビームとなり、ビームスプリッタ４８を大部分透過して、シリンドリカルレンズ等の非点収差を発生する検出レンズ素子５８を透過してＤＶＤ／ＣＤ光検出器６０に向けて集光されてここに入射する。
【００３２】
ＣＤ・ＤＶＤの反射光が対物レンズ５６を通過して光検出器６０に至る反射光の光路は、−Ｘ方向に形成される。一方、光路変更光学素子３６の反射面で＋Ｙ方向に曲げられた、ＢＤの記録面からの反射光は、ＣＤ・ＤＶＤからの反射光路に存在するビームスプリッタ４８で直角に−Ｘ方向に曲げられ、ＣＤ・ＤＶＤの反射光の光路に合流して光検出器６０に到達する。すなわち、光検出器はＣＤ・ＤＶＤの反射光ばかりでなくＢＤの反射光も検出する。
【００３３】
ＢＤの記録面で反射して、対物レンズ３２、光路変換光学素子３６を経由して、ＣＤ・ＤＶＤからの反射光路に合流し、光検出器６０に至るまでのＢＤの反射光の光路長は、ＣＤ・ＤＶＤの記録面で反射して、対物レンズ５６、ビームスプリッタ４８を経由して光検出路６０に至るまでのＣＤ・ＤＶＤの反射光の光路長Ｍ１に比較して、光路変更光学素子３６からビームスプリッタ４８に至るまでの分（Ｍ２）大きくなっていながら、ＢＤからの反射光のＸ方向の光路長Ｍ３は、ＣＤ・ＤＶＤの反射光のＸ方向の光路長Ｍ１より短くなっている。したがって、光ピックアップにＢＤへの記録・ＢＤからの再生のための光学機構を適用しても、ＢＤ用の光ピックアップをＣＤ・ＤＶＤ用光ピックアップのサイズ（主軸−副軸間の距離）Ｍ４に収めることができる。
【００３４】
ＣＤ・ＤＶＤ用の光学機構及びＢＤ用の光学機構は、共にＸ方向に形成されており、ＣＤ・ＤＶＤ用光学機構はＢＤ用光学機構より＋Ｙ方向にずれて形成されている。光ピックアップのケーシング１０１にはテーパ形状１０３を有し、係る領域はＢＤ用の光学機構の配置を妨げるように作用するが、ＢＤからの反射光は、光路変更光学素子で＋Ｙ方向に曲げられているために、このようなテーパ領域１０３に制限されることなく光検出器６０まで到達することができる。
【００３５】
ＣＤ・ＤＶＤ用の対物レンズ５６とＢＤ用の対物レンズ３２は、Ｙ方向に並列に置かれている。ＣＤ・ＤＶＤからの反射光の光路は、ＢＤのそれより光ディスク７００の中心側にあることから、ＣＤ・ＤＶＤ用の対物レンズ５６はＢＤ用の対物レンズ３２より、光ディスクの内周側に位置している。
【００３６】
このことは、例えば、ライトスクライブ対応可能なドライブにおいて有利な点がある。ライトスクライブでは、ＣＤ・ＤＶＤ用レーザ光を使用してディスクのラベル面に情報が描画される。ライトスクライブ用の制御信号は、ディスクの最内周よりさらに内側に制御信号があるため、ＣＤ・ＤＶＤの対物レンズがディスク内周側に存在する利点がある。
ＣＤ・ＤＶＤ用対物レンズ５６及びＢＤ用対物レンズ３２は、図示しないフォーカス駆動コイルに通電することにより±Ｚ方向に並進駆動（フォーカス動作）し、図示しないトラッキング駆動コイルに通電することにより±Ｙ方向に並進駆動（トラッキング動作）し、図示しないチルト駆動コイル通電することにより図のＸ軸回りに回転駆動（チルト動作）する。
【００３７】
なお、図６は、光検出器６０の受光面パターンを示した平面図である。受光面は、ＣＤ光ビームのスポット６３を受光する４分割受光面６０Ａ，６０Ｂ，６０Ｃと、ＤＶＤ・ＢＤ光ビームのスポット６５を受光する４分割受光面６１Ａ，６１Ｂ，６１Ｃとから構成されている。光ピックアップは、光検出器の４分割受光面によって、３ビーム方式によるトラッキング誤差信号を検出することができる。
【００３８】
既述の実施形態では、ＤＶＤ・ＢＤ光ビームの内のサブスポットが入射する４分割受光面６１Ａ，６１Ｃの暗線幅を広くした。２層ディスクではサブスポットに対して他層からの不要光が混入してプッシュプル信号が変動するという課題があるが、暗線幅を広くすることにより変動を小さくできるという効果がある。なお、ＣＤは単層ディスクのみなので、ＣＤ光ビームの内のサブスポットが入射する４分割受光面６０Ａ，６０Ｃの暗線幅を広くしなかった。
【００３９】
本実施例では、ビームスプリッタ２２，ビームスプリッタ４８を、平板ミラーとした。傾斜平板ミラーに収束光が透過すると非点収差が発生する。そこで、まず、ビームスプリッタ４８で発生する非点収差成分と、検出レンズ素子５８で発生させる非点収差成分とを合成した場合に、ＣＤ・ＤＶＤに好適なフォーカス検出範囲４〜６μｍ前後となる非点収差成分となるように検出レンズ素子５８を光学設計する。次に、ビームスプリッタ２２で発生する非点収差成分と、光路変更光学素子（シリンドリカルレンズ）３６で発生させる非点収差成分と、検出レンズ素子５８で発生する非点収差成分とを合成した場合に、ＢＤに好適なフォーカス検出範囲１〜２μｍ前後となる非点収差成分となるように光路変更光学素子３６を光学設計する。これにより、非点収差法によるフォーカス検出を可能とした。
【００４０】
次に図７乃至図１１に基づいて、図３〜５で説明したＣＤ・ＤＶＤ用の光学機構１２、そして、ＢＤ用の光学機構１０の変形例を模式的に示す。なお、図７は図３の形態を示した模式図であり、図８以降の変形例を理解する上で参照するとよい。図７以降において、符号６００はＢＤからの反射光の光路であり、符号６０２はＣＤ・ＤＶＤから反射光の光路である。図７以降は模式図であるので、変形例を説明する図は、図３に示した光学機構の各部品を必ずしも全て示すものではない。また、図３に係る光学機構の構成部品以外の部品を備えることもある。
【００４１】
図８は、ＢＤ用光源１４からビームをミラー８２で反射して、ビームスプリッタ２２に＋Ｙ方向から入射させていることを示している。ＢＤからの反射光６００は、ビームスプリッタ２２でＣＤ・ＤＶＤからの反射光の光路６０２に向けて直角に曲げられ、ＣＤ・ＤＶＤ側反射光路中のビームスプリッタ４８に合流している。また、ＣＤ・ＤＶＤ用光源３８から光ビームを＋Ｙ方向に照射してミラー８０で−Ｘ方向に反射してビームスプリッタ４８に入射させている。  この実施形態では、光路変更光学素子(図７の３６）を必要としない分、反射光路のＹ方向の寸法を低減できるものの、ミラー８０,８２を必要とするため、光源１４,３８やミラー８０,８２のレイアウトの点において不利な点がある。
【００４２】
図９は、ＢＤ用光源１４とＣＤ・ＤＶＤ用光源３０との位置を、図７とは反対になるように、入れ替えた点が異なる。すなわち、図９ではＢＤ用光源１４をＣＤ・ＤＶＤからの反射光路６０２側に設け、ＣＤ・ＤＶＤ用光源をＢＤからの反射光路６００側に設けている。このように二つの光源の位置を置き換えてもよい。なお、符号４９はビームスプリッタである。
【００４３】
図１０はテーパ面１０３を利用して、光検出器６０のレイアウトを決定した形態である。光検出器６０がテーパ面１０３によって置かれている。ＢＤからの反射光路６００とＣＤ・ＤＶＤからの反射光路６０２はテーパ面１０３に対して直交する方向に形成されている。スピンドルモータ５５０の外周円を避け、かつＣＤ・ＤＶＤからの反射光路６０２の光路長を稼ぐために、ＣＤ・ＤＶＤからの反射光路６０２を、ＢＤから反射光路６００よりもＶ方向にオフセットさせている。これにより、テーパ面１０３に沿ってＢＤ用の光源１４を置くことができる。光源１４から照射された光ビームはミラー８２によって曲げられ、ＣＤ・ＤＶＤからの反射光路６０２を横断してＢＤ用対物レンズ３２に向けて誘導される。
【００４４】
図１１は、ＢＤ用光源１４を、テーパ面１０３を避けて、光ピックアップのケーシング１０１の副軸１０６Ａ側にある側面１０７に配置した点が図９とは異なる。なお、図８乃至図１１の各変形例においても、ＢＤからの反射光がＣＤ／ＤＶＤからの反射光の光路に合流して、ＣＤＣ／ＤＶＤからの反射光の光路に置かれた検出器で検出される構成が存在するために、図３〜７に示す実施形体と同様に、ＢＤの光学機構での復路光学系倍率を大きくすることができる。
【産業上の利用可能性】
【００４５】
本発明の光ピックアップは光ディスク装置の小型化に貢献する。したがって、本発明の光ピックアップを備える光ディスクは、小型ノートパソコンなど小型情報機器に好適である。本発明の光ピックアップはＢＤからの反射光の復路光学系倍率を大きくすることができるので、ＢＤ多層ディスクへの応用が可能である。
【符号の説明】
【００４６】
１０  ＢＤ用光学機構
１２  ＣＤ・ＤＶＤ用光学機構
１４  ＢＤレーザ光源
３０  ＢＤ用対物レンズ
３８  ＣＤ・ＤＶＤレーザ光源
５６  ＣＤ・ＤＶＤ用対物レンズ
１００  光ピックアップ
５００  光ディスク装置
７００  光ディスク
【図１】
2010225199.tif 000003
【図２】
2010225199.tif 000004
【図３】
2010225199.tif 000005
【図４】
2010225199.tif 000006
【図５】
2010225199.tif 000007
【図６】
2010225199.tif 000008
【図７】
2010225199.tif 000009
【図８】
2010225199.tif 000010
【図９】
2010225199.tif 000011
【図１０】
2010225199.tif 000012
【図１１】
2010225199.tif 000013